(57)【要約】【課題】天井の施工を労少なく短工期で行うことができる天井施工方法を提供する。【解決手段】天井フレーム６の下面側に天井面材７を取り付けた天井パネル２を用い、この天井パネル２を建方時に屋外側から建物１に据え付ける。【選択図】　　　図１
2004003248.tif 000002
【特許請求の範囲】
【請求項１】
天井フレームの下面側に天井面材を取り付けた天井パネルを用い、この天井パネルを建方時に屋外側から建物に据え付けることを特徴とする天井の施工方法。
【請求項２】
天井フレームの下面側に天井面材が備えられ、天井面材の上面側に防湿シートが備えられた天井パネルを用い、
この天井パネルを建方時に屋外側から建物に据え付けることを特徴とする天井の施工方法。
【請求項３】
天井フレームの下面側に天井面材の取り付けられた天井パネルを予め階上床パネルの下面側に取り付け、この天井パネル付きの階上床パネルを用い、これを屋外側から建物に据え付けることを特徴とする天井の施工方法。
【発明の詳細な説明】
【０００１】
【発明の属する技術分野】
本発明は、天井の施工方法に関する。
【０００２】
【従来の技術】
住宅等の建物において、天井の施工は、従来より、建方終了後の内装工事において、建物の内部から天井フレームを取り付け、この天井フレームの下面側に石膏ボード等の天井面材を取り付けるというようにして行われている。
【０００３】
【発明が解決しようとする課題】
しかしながら、この施工方法では、天井フレームの取付けも、天井面材の取付けも、いずれも上向き作業で行わなければならず、作業者に重労働を強いるものであると共に、足場も必要となり、天井の施工に多くの時間を要して工期が長くなるという問題があった。
【０００４】
本発明は、この問題点に鑑み、天井の施工を労少なく短工期で行うことができる天井施工方法を提供することを課題とする。
【０００５】
【課題を解決するための手段】
上記の課題は、天井フレームの下面側に天井面材を取り付けた天井パネルを用い、この天井パネルを建方時に屋外側から建物に据え付けることを特徴とする天井の施工方法によって解決される。
【０００６】
この方法によれば、天井パネルの製作は予め工場などで行っておくことができ、現場では、この天井パネルを、クレーンなどの吊り機で吊り、屋外側から建物に据え付けるだけでよいので、天井の施工において屋内側からの上向き作業を少なくすることができ、足場も少なくでき、労少なく短工期で天井を施工することができる。
【０００７】
また、天井フレームの下面側に天井面材が備えられ、天井面材の上面側に防湿シートが備えられた天井パネルを用い、
この天井パネルを建方時に屋外側から建物に据え付けることを特徴とする天井の施工方法によっても、同様に解決することができる。
【０００８】
この施工方法は、天井面材の上面側に、吹込み断熱工法などに用いられる防湿シートを備えさせる場合についてのものであるが、この防湿シートを天井パネルに予め備えさせておくことで、防湿シートの施工に関する現場での上向き作業を排除することができ、しかも、この防湿シートによって天井パネル据付後の天井面材の雨濡れを防ぐことができる。
【０００９】
また、階間における階下の天井の施工については、天井フレームの下面側に天井面材の取り付けられた天井パネルを予め階上床パネルの下面側に取り付け、この天井パネル付きの階上床パネルを用い、これを屋外側から建物に据え付けるとよい。
【００１０】
この場合は、天井パネル付きの階上床パネルの製作は予め工場などで行っておくことができ、現場では、これを、クレーンなどの吊り機で吊り、屋外側から建物に据え付けるだけでよいので、階上の床の施工と併せて天井の施工も同時に済ませることができて、天井施工のための屋内側からの上向き作業を少なくすることができ、足場も少なくでき、労少なく短工期で階下の天井を施工することができる。
【００１１】
【発明の実施の形態】
次に、本発明の実施形態を図面に基づいて説明する。
【００１２】
図１及び図２に示す第１実施形態の天井施工方法は、小屋裏下の天井についてのもので、同図において、図１において、１は建物、２は天井パネルであり、建物１において、３は柱、４は梁、５は小屋組である。
【００１３】
天井パネル２は、図２に示すように、天井フレーム６の下面側に石膏ボード、プラスターボード等による天井面材７が取り付けられたもので、予め工場などで製作されたものである。
【００１４】
現場では、図１に示すように、建方時に、この天井パネル２をその天井面材７の側を下向きにしてクレーンなどで吊り、屋外側から建物１に据え付ける。こうして小屋裏下の天井が施工される。
【００１５】
このように、上記の天井施工方法によれば、天井パネル２の製作は予め工場などで行っておくことができ、現場では、この天井パネル２を、クレーンなどで吊り、屋外側から建物１に据え付けるだけでよいので、天井の施工において屋内側からの上向き作業を少なくすることができ、労少なく短工期で天井を施工することができる。
【００１６】
図３に示す第２実施形態の天井施工方法は、上記の場合と同じく、小屋裏下の天井の施工についてのものであるが、天井パネル２の構造が第１実施形態の場合のものとは異なる。即ち、本実施形態の天井パネル２は、図３（イ）に示すように、天井フレーム６と天井面材７との間に防湿シート１２が予め一体的に備えられ、この防湿シート１２は、天井フレーム６及び天井面材７よりも側方に張り出すようにして備えられている。
【００１７】
現場では、第１実施形態の場合と同様に、建方時に、この天井パネル２をその天井面材７の側を下向きにしてクレーンなどで吊り、屋外側から建物１に据え付ける。しかる後、図３（ロ）に示すように、隣り合う天井パネル２，２の防湿シート１２，１２同士を重ね合わせ状態にして両面テープなどでシール状態に貼り付け、図３（ハ）に示すように、屋内側から天井面材７，７間に現場貼り天井面材１３を貼り付ける。
【００１８】
このように、天井パネル２に予め防湿シート１２を備えさせておくようにすることで、防湿シート１２の施工を労少なく行うことができるようになり、しかも、建方時に屋外側から天井パネル２を据え付ける本工法において据付後に天井面材７が雨で濡れてしまうのを防湿シート１２で防ぐことができ、天井パネルの据付後に現場で雨養生シートを被せる厄介な作業を省略することができる。
【００１９】
図４及び図５に示す第３実施形態の天井施工方法は、階間における階下の天井についてのもので、階上床パネル８が、その下面側に天井パネル２を備えている。即ち、この階上床パネル８は、図５に示すように、床板９と床フレーム１０とを床パネル本体部とし、床フレーム１０の下面側に吊材１１…を介して天井パネル２が取り付けられている。なお、天井パネル２は、天井フレーム６の下面側に天井面材７が取り付けられたものである。
【００２０】
現場では、図４に示すように、建方時に、この天井パネル付き階上床パネル８をその天井面材７の側を下向きにしてクレーンなどで吊り、屋外側から建物１に据え付ける。これにより、階上の床の施工と併せて天井の施工も同時に済み、天井施工のための屋内側からの上向き作業を少なくすることができ、労少なく短工期で階下の天井を施工することができる。
【００２１】
【発明の効果】
本発明は、以上のとおりのものであるから、天井の施工を労少なく短工期で行うことができる。
【図面の簡単な説明】
【図１】第１実施形態の天井施工方法を示す斜視図である。
【図２】その天井パネルの斜視図である。
【図３】第２実施形態を示すもので、図（イ）は本発明の天井施工方法に使用する天井パネルの断面正面図、図（ロ）は据付後の天井パネル間の仕上げ方法を示す断面正面図、図（ハ）は仕上げ後の断面正面図である。
【図４】第３実施形態の天井施工方法を示す斜視図である。
【図５】図（イ）はその天井パネル付き階上床パネルの分解斜視図、図（ロ）は側面図である。
【符号の説明】
１…建物
２…天井パネル
６…天井フレーム
７…天井面材
８…天井パネル付き階上床パネル
１２…防湿シート
【図１】
2004003248.tif 000003
【図２】
2004003248.tif 000004
【図３】
2004003248.tif 000005
【図４】
2004003248.tif 000006
【図５】
2004003248.tif 000007